(57)【要約】【課題】他の複数のハンガーと組み合わせて、小物の衣類やアクセサリ類を便利に収納できるハンガーを提供する。【解決手段】ハンガー１は、頂点部２１と頂点部２１から左右に張り出した肩部２２と肩部２２同士を連結する延長部２３とから構成された本体部２と、本体部２に回転自在に接続されたフック部３と、を備える。頂点部２１付近には肩部２２の一部が湾曲して形成された第１係止部２４が設けられ、延長部２３には複数の凹部２５ａが並んで配列した第２係止部２５が設けられている。さらに、第１係止部２４は、斜め上方に開口し、かつ、Ｕ字状又はＣ字状に湾曲していることが好ましい。【選択図】図１
0003179397.tif 000002
【実用新案登録請求の範囲】
【請求項１】
頂点部と、前記頂点部から左右に張り出した肩部と、前記肩部同士を連結する延長部と、から構成された本体部と、
前記本体部に回転自在に接続されたフック部と、
を備え、かつ、
前記頂点部付近には、肩部の一部が湾曲して形成された第１係止部が設けられ、
前記延長部には、複数の凹部が並んで配列した第２係止部が設けられていることを特徴とするハンガー。
【請求項２】
前記第１係止部は、斜め上方に開口し、かつ、Ｕ字状、Ｃ字状、又は、コの字状に湾曲していることを特徴とする請求項１に記載のハンガー。
【請求項３】
前記本体部上端には、前記フック部を回転自在に収容する孔を有した中空円筒部が設けられ、かつ、前記中空円筒部の内周面には、前記フック部の回転を一時的に固定する固定部が９０度毎に設けられていることを特徴とする請求項１又は２に記載のハンガー。
【請求項４】
前記本体部の幅が、前記フック部の幅の１〜４倍の長さであることを特徴とする請求項１〜３のいずれかに記載のハンガー。
【請求項５】
前記第１係止部から前記延長部までの距離を、前記フック部の高さと同等又は前記高さより短くしたことを特徴とする請求項１〜４のいずれかに記載のハンガー。
【請求項６】
吊り下げ対象物が、ベルト、耳あて、スカーフ、ストール、手袋、帽子、サスペンダー、コサージュ、ネクタイ、マフラー、カチューシャ、ポーチ、サングラス、リボン、アクセサリ類、サンバイザー、ぬいぐるみ、腕時計、タオル、又は手ぬぐいの少なくとも１つであることを特徴とする請求項１〜５のいずれかに記載のハンガー。
【考案の詳細な説明】
【技術分野】
【０００１】
本考案は、衣類やアクセサリ類（好ましくは、クローゼットで収納しづらい小物類）などを吊り下げるためのハンガーに関する。
【背景技術】
【０００２】
日々使用されることが多いネクタイやストールなどは、様々な柄や種類の物が一般家庭で収納・保管される。また、ネクタイのような小物衣類の他、アクセサリ類や腕時計などの身飾品等も、一般に、散らかり易い上に、狭いクローゼット空間に収納しづらいものである。
【０００３】
ネクタイ等を吊り下げるための従来のハンガーとして、例えば、特許文献１や特許文献２が挙げられる。
【０００４】
しかしながら、特許文献１及び特許文献２に開示のいずれのハンガーも、ネクタイ等の吊下げ部がハンガー水平方向に多数設置されており、比較的大型で複雑な構造を成す。また、１つのハンガー単独で使用することを前提としているため、垂直方向の収納空間を十分に利用し尽くしているとは言い切れない。
【０００５】
また、特許文献３には、ネクタイ用ハンガーではないが、通常サイズのハンガーであって、他の同種のハンガーの複数掛け外しを可能とすることで、狭い空間に多数の衣類を吊り下げることができるハンガーが開示されている。特許文献３に開示のハンガーも下端部に設けられたハンガー引っ掛け部により他のハンガーを吊り下げることで、水平方向に多数の衣類を吊り下げることができる。
【０００６】
しかしながら、特許文献３に開示のハンガーも、特許文献１又２に開示のハンガーと同様に、垂直方向の空間を十分に利用し尽くしているとは言い切れない。加えて、特許文献３に開示のハンガー（及びこのハンガーに吊り下げられる他のハンガー）も通常のサイズであり、これらを組み合わせると、非常に嵩張り、クローゼットの狭い空間には使いづらいことが予想される。
【先行技術文献】
【特許文献】
【０００７】
【特許文献１】特開２００７−１８５４５８号公報
【特許文献２】特開２０００−５０３３号公報
【特許文献３】特開２００９−２１９８４５号公報
【考案の概要】
【考案が解決しようとする課題】
【０００８】
本考案は、このような従来の実情に鑑みて提案されたものであり、従来の技術が有する欠点・課題を排除・克服したハンガーを提供することを目的とする。すなわち、本考案は、クローゼットの狭い空間を有効に使用して、比較的小さな衣類やアクセサリ類を多数収納可能なハンガーを提供することを目的とする。
【課題を解決するための手段】
【０００９】
本考案者は、鋭意検討した末、ハンガーを、本体部とフック部とから構成し、その本体部に、垂直方向に他のハンガーを引っ掛けるための第１係止部と、水平方向に他のハンガーを引っ掛けるための第２係止部と、をさらに設け、各ハンガーのフック部を本体部に回転自在に接続することが出来れば、衣類等吊り下げのためのハンガーの組合せが格段に広がり、上記課題（つまり垂直方向及び水平方向の収納空間の有効利用）が解決できること等を見出し、本考案を完成するに至った。
【００１０】
すなわち、本考案は、少なくとも次の構成・特徴を採用するものである。
【００１１】
（態様１）
頂点部と、前記頂点部から左右に張り出した肩部と、前記肩部同士を連結する延長部と、から構成された本体部と、
前記本体部に回転自在に接続されたフック部と、
を備え、かつ、
前記頂点部付近には、肩部の一部が湾曲して形成された第１係止部が設けられ、
前記延長部には、複数の凹部が並んで配列した第２係止部が設けられていることを特徴とするハンガー。
（態様２）
前記第１係止部は、斜め上方に開口し、かつ、Ｕ字状、Ｃ字状、又は、コの字状に湾曲していることを特徴とする態様１に記載のハンガー。
（態様３）
前記本体部上端には、前記フック部を回転自在に収容する孔を有した中空円筒部が設けられ、かつ、前記中空円筒部の内周面には、前記フック部の回転を一時的に固定する固定部が９０度毎に設けられていることを特徴とする態様１又は２に記載のハンガー。
（態様４）
前記本体部の幅が、前記フック部の幅の１〜４倍の長さであることを特徴とする態様１〜３のいずれかに記載のハンガー。
（態様５）
前記第１係止部から前記延長部までの距離を、前記フック部の高さと同等又は前記高さより短くしたことを特徴とする態様１〜４のいずれかに記載のハンガー。
（態様６）
吊り下げ対象物が、ベルト、耳あて、スカーフ、ストール、手袋、帽子、サスペンダー、コサージュ、ネクタイ、マフラー、カチューシャ、ポーチ、サングラス、リボン、アクセサリ類、サンバイザー、ぬいぐるみ、腕時計、タオル、又は手ぬぐいの少なくとも１つであることを特徴とする態様１〜５のいずれかに記載のハンガー。
【考案の効果】
【００１２】
本考案のハンガーは、以上のような構成を備えているため、同様のハンガーを複数組み合わせることにより、一本のハンガーの水平方向及び垂直方向に多数のハンガーを連結することができる。従って、多数の衣類（好ましくは、ネクタイやストールなどの薄い衣類）等を多数吊り下げることができるため、クローゼット等の通常狭い収納空間を極めて有効に利用することができる。
【００１３】
また、本考案のハンガーは、フック部が本体部に対して回転自在に接続されているため、本考案のハンガーを複数組み合わせる場合に、その組合せが広がるとともに掛け外しが容易となる。さらに本考案の好適な態様によれば、本体部上端には、フック部を回転自在に収容する中空円筒状の孔が設けられ、かつ、孔の内周面には、フック部の回転を一時的に固定する固定部が９０度毎に設けられているため、フック部を回転する際の回転角度の設定や位置決めが容易になる。
【００１４】
本考案の好適な態様によれば、本体部の幅が、フック部の幅の１〜４倍の長さであり、言い換えれば、従来のハンガーの対応する部分の寸法より短いため、本考案のハンガーを複数組み合わせた場合に、その組合せ構造全体のサイズが従来と比較して極めてコンパクトにおさめることが可能となる。
【００１５】
本考案の好適な態様によれば、本体部の高さが、フック部の高さと同等又はそれより短く形成されているため、本考案のハンガーを複数、垂直に組み合わせる場合に、無駄なくコンパクトに連結していくことができる。
【図面の簡単な説明】
【００１６】
【図１】本考案の実施形態に係るハンガーを示した斜視図である。
【図２】本考案の実施形態に係るハンガーを示した分解斜視図である。
【図３】図１のハンガーのフック部を回転させた状態を示した斜視図である。
【図４】本考案の実施形態に係るハンガーを示した正面図である。
【図５】図４のＡ−Ａ線で破断した端面図である。
【図６】本考案の実施形態に係るハンガーの組合せ方及び使い方を示した図である。
【図７】本考案の実施形態に係るハンガーの組合せ方及び使い方を示した図である。
【考案を実施するための形態】
【００１７】
以下、本考案を図面に示す実施の形態に基づき説明するが、本考案は、下記の具体的な
実施形態に何等限定されるものではない。なお、各図において同一又は対応する要素には同一符号を用いる。
【実施例】
【００１８】
図１及び図２は、本考案の一実施形態に係るハンガーを示した斜視図及び分解斜視図である。図３は、図１のハンガーのフック部を回転させた状態を示した斜視図である。図５は、図４のＡ−Ａ線で破断した端面図である。図６及び図７は、本考案の実施形態に係るハンガーの組合せ方及び使い方を示した図である。
【００１９】
（本考案のハンガーの構造・特徴）
本考案のハンガー１は、図１及び図２に示すように、その主な構成部品として、本体部２と、この本体部２に回転自在に接続されたフック部３と、を備える。ハンガー１は、図１及び２に示すように、本体部２とフック部３との接続部分を取り囲むカラー部材（環状円筒部材）４をさらに備えていてもよく、これにより、本体部２とフック部３との接続部分に段差が無くなり、見た目の良い仕上がりとなる。ハンガー１の各構成部品２〜４については、以下に詳しく説明する。
【００２０】
なお、本体部２、フック部３、及びカラー部材４の材質として、プラスチック等の樹脂（例えば、ポリプロピレン）、金属又はこれらの組合せが挙げられるが、特に、軽量であり、適度な弾性を有し、かつ、射出成形により安価に大量生産できる点などから、樹脂が好ましい。
【００２１】
（本体部の構成）
先ず、本体部２は、頂点部２１と、頂点部２１から左右に張り出した肩部２２と、肩部２２同士を連結する延長部２３と、から構成される。図示の例では、左右の肩部２２は、略同様の長さであり、双方の肩部２２の下端を滑らかかつ水平に連結するように延長部２３が形成されている。
【００２２】
（第１係止部の構造・特徴）
この頂点部２１付近には、肩部２２の一部が、後述のように湾曲して形成された第１係止部２４が設けられている。第１係止部２４は、図４に示すように、斜め上方に開口し、かつ、略Ｕ字状に湾曲している。このような構造を成すことにより、図６に示すように、別途用意した本考案のハンガー１（又は従来のハンガー）のフック部３をこの第１係止部２４内に引っ掛けることができる。従って、別途用意したハンガー１は、ハンガー１に垂直方向下側にずらして係止されることになる。
【００２３】
なお、第１係止部２４の形状は上記湾曲形状に限定されない。例えば、第１係止部２４は、上記Ｕ字状に限らず、Ｃ字状またはコの字状等、フック部３が適切に収容可能なその他の形状に形成されていてもよい。また、第１係止部２４は、フック部３が適切に案内され保持されるのであれば、上記斜め上方の開口方向に限らず、上方又は横（側面）方向に開口していてもよい。
【００２４】
（第２係止部の構造・特徴）
また、本体部２の延長部２３には、複数の凹部２５ａが並んで配列した第２係止部２５が設けられている。なお、図示の例では、９個の凹部２５ａが延長部２３の上面に一列に並んで配置されている。この第２係止部２５の設置により、ハンガー１の水平方向に、本考案のハンガー１又はその他同種のハンガーを多数、連結することが可能となる。
【００２５】
（本体部とフック部との接続）
次に、本体部２とフック部３との接続構造の一例を紹介する。図２，３に示すように、本体部２上端（つまり頂点部２１の上端）には、フック部３下端の接続部３１を回転自在に収容する孔を有した中空円筒部２６が設けられる。さらに、中空円筒部２６の内周面には、図５に示すように、フック部３の回転を一時的に固定する固定部２７（具体的には、内周縁部２７ｅに対して外周方向に延びた溝２７ｒ）が９０度毎に設けられている。一方、フック部３下端の接続部３１は２つの半部３１ａ，３１ｂから構成され、半部３１ａ，３１ｂの間には僅かな空間（スリット）が形成されている。図５に示すように、接続部３１の断面は、中央にスリットが入った菱形を成す。
【００２６】
本体部２の中空円筒部２６とフック部３の接続部３１が以上のように構成されているため、中空円筒部２６にフック部３の接続部３１が内挿されると、固定部２７の内周縁部２７ｅによって、半部３１ａ，３１ｂは互いに接触する方向に押し付けられる。そして、接触し合う半部３１ａ，３１ｂの端部３１ｅ，３１ｅが外周方向に突き出た格好となる。そして、フック部３の回転の際には、半部の３１ａ，３１ｂの端部３１ｅ，３１ｅが、固定部２７の溝２７ｒの各位置で嵌り込んで、止まりやすくなるように工夫されている。
【００２７】
なお、カラー部材４は、図１及び図２に示すように、本体部２の中空円筒部２６の外周面を取り囲むために、組み付け後のハンガー１においては、本体部２とフック部３との接続部分は外側に露出することはなく、シンプルな外形で見た目の良い仕上がりとなる。
【００２８】
（本体部の寸法とフック部の寸法との相対的な関係）
加えて、本考案のハンガー１においては、本体部２とフック部３とが相対的に、以下のような好適な寸法を有することがさらに好ましい。具体的には、図４に示すように、本体部２の幅Ｗ２が、フック部３の幅Ｗ３の１〜４倍の長さであることが好ましく、さらに好ましくは約２倍の長さである。なお、フック部３の大きさは、市販の壁面に設置されるハンガー吊り下げ用のポールの直径の大きさで、通常、決定される。従って、本体部２の幅Ｗ２は、従来の市販ハンガーの幅より極めて短いものとなり、本考案のハンガー１が極めてコンパクトなものになることが分かる。
【００２９】
また、本体部２の高さ（具体的には、第１係止部２４から延長部２３までの距離）Ｈ２は、フック部３の高さＨ３と同等又はこの高さＨ３より短く形成されていることが好ましい。これにより、図６に示すように、本考案のハンガーを複数、垂直に組み合わせた場合に、垂直空間を無駄にせずにコンパクトに連結していくことができるようになる。
【００３０】
なお、上述の好適なサイズを有したハンガー１を適用する吊り下げ対象物としては、薄くて幅の狭い衣類、アクセサリ類などの小物類が好ましい。例えば、ベルト、耳あて、スカーフ、ストール、手袋、帽子、サスペンダー、コサージュ、ネクタイ、マフラー、カチューシャ、ポーチ、サングラス、リボン、アクセサリ類、サンバイザー、ぬいぐるみ、腕時計、タオル、又は手ぬぐいなどが本考案のハンガー１に好適な吊り下げ対象物として挙げられる。
【００３１】
（本考案のハンガーの使い方の例）
図６及び図７に、本考案のハンガーの使用例を幾つか示す。例えば、図７に示すように、本考案のハンガー１を、第２係止部２５の凹部２５ａに引っ掛けることで、多数の小物類を水平方向に収納することもできる。
【００３２】
また、本考案のハンガー１のフック部３を、図３及び図６に示すように、例えば、本体部２に対して９０度回転させた状態にした上で、他のハンガー１（つまり、一番上のハンガー）の第１係止部２４に引っ掛けても良い。この引っ掛けられたハンガー１（つまり上から２番目のハンガー）の第１係止部２４に、さらに別のハンガー１を引っ掛けても良い。これにより、各ハンガー１が垂直方向に密に連結されるとともに、本体部２の各々が同じ面を向いて整然に並ぶことになるため、より狭い収納空間を有効に利用することができるようになる。
【産業上の利用可能性】
【００３３】
上述したように、本考案のハンガー１によれば、同様のハンガーを複数組み合わせることにより、一本のハンガーの水平方向及び垂直方向に多数のハンガーを連結することができる。これにより、多数の衣類（好ましくは、ネクタイやストールなどの薄い衣類）等を多数吊り下げることができるため、クローゼット等の通常狭い収納空間を極めて有効に利用することができる。従って、本考案のハンガー１は、産業上の利用価値及び利用可能性が非常に高い。
【符号の説明】
【００３４】
１    ハンガー
２    本体部
３    フック部
４    カラー部材
２１    頂点部
２２    肩部
２３    延長部
２４    第１係止部
２５    第２係止部
２５ａ    凹部
２６    中空円筒部
２７    固定部
２７ｅ    内周縁部
２７ｒ    溝
３１    フック部下端の接続部
３１ａ，３１ｂ    接続部の半部
３１ｅ    半部の端部
Ｈ２    本体部の高さ（第１係止部から延長部までの距離）
Ｈ３    フック部の高さ
Ｗ２    本体部の幅
Ｗ３    フック部の幅
【図１】
0003179397.tif 000003
【図２】
0003179397.tif 000004
【図３】
0003179397.tif 000005
【図４】
0003179397.tif 000006
【図５】
0003179397.tif 000007
【図６】
0003179397.tif 000008
【図７】
0003179397.tif 000009